(57)【特許請求の範囲】
【請求項１】
２つのフィルターユニットを有する高周波（ＨＦ）モジュールであって、前記２つのフィルターユニット（ＦＥ）の各々は、
入力と、出力とを有する第１ＨＦフィルターと、
２つのスイッチ状態を取り得る第１スイッチと、を有し、
前記２つのフィルターユニットの各々において、前記第１スイッチは、前記第１ＨＦフィルターの前記入力または前記出力に接続され、
前記２つのフィルターユニットは、並列に接続され、
前記２つのフィルターユニットのうちの第１フィルターユニットは、２つのスイッチ状態を取り得る第２スイッチを有し、
前記第１フィルターユニットの前記第１スイッチは、前記第１フィルターユニットの前記第１ＨＦフィルターの前記入力に接続され、
前記第２スイッチは、前記第１フィルターユニットの前記第１ＨＦフィルターの前記出力に接続され、
前記第１フィルターユニットは、入力と、出力とを有する第２フィルターを有し、
前記第１フィルターユニットの前記第１ＨＦフィルターおよび前記第２フィルターは、デュプレクサを実現し、
前記第１ＨＦフィルターは前記デュプレクサの送信信号経路に配置され、前記第２フィルターは前記デュプレクサの受信信号経路に配置され、前記第２フィルターの前記入力は、前記第１フィルターユニットの前記第１ＨＦフィルターの前記出力に共通接続され、
前記第１フィルターユニットは、２つのスイッチ状態を取り得る第３スイッチを有し、
前記第３スイッチは、前記第２フィルターの前記出力に接続される、
ＨＦモジュール。
【請求項２】
前記第１フィルターユニットの前記第１スイッチは、３つのコネクタを有し、
前記第１フィルターユニットの前記第１スイッチは、前記第１フィルターユニットの前記第１ＨＦフィルターに、前記３つのコネクタのうちの第１コネクタにより接続される、
請求項１に記載のＨＦモジュール。
【請求項３】
前記第１フィルターユニットの前記第１スイッチは、終端インピーダンスに、前記３つのコネクタのうちの第２コネクタにより接続される、請求項２に記載のＨＦモジュール。
【請求項４】
前記第１フィルターユニットの前記第１スイッチは、信号バスに、前記３つのコネクタのうちの第３コネクタにより接続される、請求項２又は３のいずれか一項に記載のＨＦモジュール。
【請求項５】
前記第１フィルターユニットは、前記第１フィルターユニットの前記第１および第２スイッチの前記スイッチ状態を制御するように構成された制御回路を有する、請求項１〜４のいずれか一項に記載のＨＦモジュール。
【請求項６】
前記第１フィルターユニットの前記第１スイッチの前記第３コネクタは、送信アンプに接続される、請求項４に記載のＨＦモジュール。
【請求項７】
前記第１フィルターユニットの前記第２スイッチは、３つのコネクタを有し、
前記第２スイッチの前記３つのコネクタのうちの第３コネクタは、アンテナコネクタに接続される、請求項４に記載のＨＦモジュール。
【請求項８】
前記第１フィルターユニットの前記第３スイッチは、３つのコネクタを有し、
前記第３スイッチの前記３つのコネクタのうちの第３コネクタは、受信アンプに接続される、請求項４に記載のＨＦモジュール。
【請求項９】
前記２つのフィルターユニットの前記第１ＨＦフィルターは、バンドパスフィルタであり、
一方のバンドパスフィルタは、他方のバンドパスフィルタとは異なる帯域幅、異なる中心周波数、又は異なる帯域幅と異なる中心周波数との両方を有する、請求項１〜８のいずれか一項に記載のＨＦモジュール。
【請求項１０】
請求項１〜９のいずれか一項に記載のＨＦモジュールを備える、携帯無線装置。
【請求項１１】
請求項１〜９のいずれか一項に記載のＨＦモジュールを備える、携帯無線ユニット。
【発明の詳細な説明】
【技術分野】
【０００１】
本発明は、対応周波数帯域を広げるために、複数のフィルターにより容易に拡張可能な、例えば携帯通信装置用フィルターモジュールのような高周波モジュールに関する。
【背景技術】
【０００２】
高周波モジュールは、携帯無線装置で使用可能で、例えばフロントエンドの高周波フィルターを有することができる。当該モジュールやその内部の高周波フィルターは、携帯無線装置において、信号の干渉を起こさずに、正しい周波数の高周波信号が、適切な受信アンプで受信され、正しい周波数の高周波信号がパワーアンプからアンテナに送信できるようにすることを保証することを担う。現在、通信装置が設計上処理可能な周波数帯域又は送信系があまりも膨大となっている。いわゆる「キャリアアグリゲーション」は、帯域幅拡大要求に対応するために異なる周波数帯域を組み合わせることであるが、従来の高周波モジュールを限界に至らしめるものである。
【０００３】
複数の高周波フィルターを、フロントエンドモジュールの単一の信号経路におけるマルチスイッチを介して接続することで、適切な高周波フィルターを介して該当する信号経路を対応する信号に割り当てることが考えられる。マルチスイッチは複数のスイッチ位置を取るため、まず信号品質が低下し、更に拡張性が阻害される。高周波モジュールが同時に追加的な周波数帯域又は異なる周波数帯域で送信可能になるには、通常マルチスイッチを拡張マルチスイッチに交換する必要があるが、これで内部回路が更に複雑化してしまうのである。
【０００４】
更に、高周波モジュールの拡張は、構造要素内に更なる回路部品をその他回路部品と干渉することなく設ける必要があるという課題も伴う。
【発明の概要】
【発明が解決しようとする課題】
【０００５】
したがって、本発明の目的は、帯域幅拡大要求のためにより容易に適用可能で、設計を大幅に高度化せずに部品密度を上げることを可能とし、信号品質の向上を可能とするモジュールを提供することである。モジュールは更に、デュプレクサ機能を実現でき、各（デュプレクサ）フィルター又は対応するスイッチ同士の分離性を向上できる。
【０００６】
本発明の更なる目的は、上述のようなモジュールの適切な用途を提供することである。これら目的は、独立請求項のサブジェクトマターにより達成される。従属請求項は、有利な実施形態を示すものである。
【課題を解決するための手段】
【０００７】
目的達成のため、高周波モジュールは２つのフィルターユニットを有する。ここで、２つのフィルターユニットはそれぞれ、入力と出力とを有する第１高周波フィルターと、２つのスイッチ状態を取り得る第１スイッチとを有する。各フィルターユニットにおいて、第１スイッチは第１高周波フィルターの入力又は出力に接続される。２つのフィルターユニットそのものは、それぞれ互いに並列に接続される。
【０００８】
各フィルターユニットにおいて第１スイッチと第１フィルターとは直列にも接続できる。取り得る２つのスイッチ状態の内一方において、第１スイッチは導電可能に、高周波フィルターに直列接続された第１スイッチの出力に接続される。そして取り得る第２スイッチ状態では、第１スイッチの入力が第１高周波フィルターに対して非接続となる。
【０００９】
対応する周波数帯域毎に、フィルターユニットを設けることで、高周波モジュールの拡張が容易となる。ここで、各フィルターユニットの第１高周波フィルターは、モジュール内の第１スイッチを介して作動そして動作停止可能である、マルチスイッチが必要でなくなる。マルチスイッチの役割を、複数のダブルスイッチで担うことになるが、概してダブルスイッチは１つや２つ等の少ない数のみで高周波フィルターに信号を流すことで可能となるため、アクティブスイッチの全体的な回路の複雑さは抑えられ、信号品質を向上できる。数としてダブルスイッチは多く回路が複雑化し得るが、そのことはスイッチ毎の回路の複雑さが抑えられていることで、十二分に補われている。
【００１０】
この場合、全てのフィルターユニットの全ての第１スイッチは、共通信号バスに接続できる。第１フィルターの全ての信号出力は、追加の信号バスに接続、或いは追加のスイッチを介して当該バスに接続可能である。したがって、高周波モジュール全体としての回路の複雑さは、対応する高周波フィルターの数に比例して増すのみである。それぞれスイッチと、高周波フィルターとを有する各フィルターユニットは、例えば隣接配置や積層配置等の、複数のフィルターユニットの組み立てが、問題なく、そして高周波導電路がほぼ交差することなく、可能となるように実現される。
【００１１】
フィルターユニットにおいてフィルターとスイッチとを組み合わせることで、回路部品同士又はフィルターユニットが積み重ねられるような、考えられる三次元構造において、各ユニットに必要な空間が小さくなるため、部品密度の向上が図れる。デュプレクサ等の場合に、明らかに簡略化された信号ルーチングにより、信号品質、分離性が向上する。異なるフィルターユニットの、それぞれのフィルターは、互いに物理的に離間して配置できる。共通のチップ上で、それぞれ異なる簡略化されたスイッチを実現できる。そして、異なるスイッチをそれぞれ、チップ上ではなく、外部に直流的に接続することで、信号品質を向上できる。
【００１２】
また、以下の構造で、少なくとも１つのフィルターユニットを適用できる。フィルターユニットは、２つのスイッチ状態を取り得る第２スイッチを有する。第１スイッチは高周波フィルターの入力に接続され、第２スイッチは高周波フィルターの出力に接続される。したがって、第１高周波フィルターは第１スイッチと、第２スイッチとの間に接続される。第１スイッチが第１信号バスに接続され、第２スイッチが第２信号バスに接続される場合、第１高周波フィルターは個別的に信号バスに接続できず、第１信号バスのみ、第２信号バスのみ、又は両方の信号バスに接続できる。
【００１３】
更に、少なくとも１つのフィルターユニットが、入力と出力とを有する第２フィルターを有してもよい。第２フィルターは、第１フィルターに並列に接続される。各フィルターユニットの第１フィルター及び第２フィルターは、それらの中心周波数（バンドパスフィルタの場合）、及びそれらの帯域幅に応じて、各フィルターユニットがデュプレクサを実現するよう、実現されてもよい。
【００１４】
したがって、フィルターユニット毎にデュプレクサ機能を実現できる。そして、更にフィルターやダブルスイッチを追加することで、クアッドプレクサやヘキサプレクサも、フィルターユニット毎に実現できる。
【００１５】
更に、少なくとも１つのフィルターユニットが、２つのスイッチ状態を取り得る第３スイッチを有してもよい。第３スイッチは、第２フィルターの入力に接続される。
【００１６】
２つのフィルターで、デュプレクサのフィルターを構成する場合、第１スイッチを、デュプレクサの送信信号経路及び受信信号経路の内から選択される信号経路に接続してもよい。そして、第３スイッチは、上述の２つの信号経路の他方にそれぞれ接続される。第２スイッチは、アンテナ信号経路のような共通信号経路に接続される。
【００１７】
更に、少なくとも１つのフィルターユニットにおける各スイッチが３つコネクタを有してもよい。この場合、各スイッチはフィルターユニットの高周波フィルターに接続するための第１コネクタを有する。更に、各スイッチは、３つのコネクタの内の第２コネクタにより、終端インピーダンスに接続されてもよい。
【００１８】
終端インピーダンスでは、インピーダンス調整が行われてもよい。例えば、不要な反射をなくすよう、グランドに対する適切なインピーダンス値を介して終端を設けてもよい。
【００１９】
更に、少なくとも１つのフィルターユニットにおいて、各スイッチを、その３つのコネクタの内第３コネクタにより信号バスに接続してもよい。この場合、第１スイッチをその第３コネクタを介して第１信号バスに接続し、第２スイッチをその第３コネクタを介して第２信号バスに接続してもよい。
【００２０】
これにより、第１信号バスと第２信号バスとの間で、フィルターユニットの各スイッチ位置により選択された、適切に調整された高周波フィルターを介して高周波信号を送受信できる。
【００２１】
更に、少なくとも１つのフィルターユニットは、フィルターユニットのスイッチのスイッチ状態を制御可能な制御回路を有してもよい。この場合、制御回路は、外部回路環境から受信できる制御信号を復号し、スイッチそれぞれに向けた各スイッチ信号を生成する。
【００２２】
更に、フィルターユニットの第１スイッチの第３コネクタを送信アンプに接続してもよい。
【００２３】
この場合、送信アンプはマルチモード／マルチバンドパワーアンプ（ＭＭＭＢ−ＰＡ）のような従来のパワーアンプであってもよい。
【００２４】
更に、フィルターユニットの第２スイッチの第３コネクタをアンテナコネクタに接続してもよい。
【００２５】
この場合、アンテナコネクタは、通信装置のアンテナに接続してもよい。
【００２６】
更に、フィルターユニットの第３スイッチの第３コネクタを受信アンプに接続してもよい。
【００２７】
例えば、受信アンプは、従来の低ノイズアンプであってもよい。
【００２８】
特に、全てのフィルターユニットの第１スイッチの全ての第３コネクタを送信アンプに接続してもよい。更に、全てのフィルターユニットの第２スイッチの全ての第３コネクタをアンテナコネクタに接続してもよい。
【００２９】
更に、全てのフィルターユニットの第３スイッチの全ての第３コネクタを受信アンプに接続してもよい。
【００３０】
この場合、全てのフィルターユニットの第１スイッチの全ての第３コネクタの接続は、第１信号バスを介して実現できる。全てのフィルターユニットの第２スイッチの全ての第３コネクタの接続は、第２信号バスを介して実現できる。全てのフィルターユニットの第３スイッチの全ての第３コネクタの接続は、第３信号バスを介して実現できる。
【００３１】
ここで、フィルターユニットの数は２個に限定されない。高周波モジュールは、更なるフィルターユニットを１つ以上有してもよい。具体的には、フィルターユニットの数は５個、６個、７個、８個、９個、又は１０個であってもよい。
【００３２】
更に、全てのフィルターユニットが同じ回路構造を有してもよい。フィルターユニットの高周波フィルターは、それぞれバンドパスフィルタであってもよく、それぞれ帯域幅及び／又は中心周波数が異なっていてもよい。
【００３３】
ここで、同一のフィルターユニットの高周波フィルターが、連続する通過帯域幅を有することが望ましい。
【００３４】
上述の高周波モジュールは、例えば携帯電話等の携帯無線装置、自動車等の携帯無線ユニット内で使用できる。更に、いわゆるスマートセルや、いわゆるピコセルでの使用も考えられる。更に、ＷＬＡＮルーター又はＷＬＡＮエンドユーザー装置、若しくは例えば普段意識的、無意識的に使用する物品としての「ＩｏＴ」物品での使用も考えられる。
【００３５】
高周波モジュール、その構造、そしてその機能は、概略的な図を参照して、より詳細に後述する。
【図面の簡単な説明】
【００３６】
【図１】モジュールの主要構造を示す。
【図２】フィルターユニットの回路部品の入力、出力の名称を示す。
【図３】２つのスイッチと、高周波フィルターとを有するフィルターユニットの概略構造を示す。
【図４】３つのスイッチと、２つの高周波フィルターとを有するフィルターユニットの概略構造を示す。
【図５】制御回路を有するフィルターユニットを有するモジュール全体の簡略図を示す。
【図６】フィルターユニット内の終端インピーダンスの接続例を示す。
【図７】高周波フィルターと、２つのスイッチと、制御回路とを有するフィルターユニットを有するモジュールの概略図を示す。
【図８】２つの高周波フィルターと、３つのスイッチと、制御回路とを有するフィルターユニットを有するモジュールの概略図を示す。
【図９】更なる周波数帯域に対応できるよう、更なるフィルターユニットを、共通信号バスを通じてアンプに繋ぐことで、容易に拡張を行う様子を示す図である。
【図１０】全てのフィルターユニットが、共通信号バスを介して低ノイズアンプに接続されている、容易に拡張を行う様子を示す。
【図１１】デュプレクサとして設計されたフィルターユニットの場合の、容易に拡張を行う様子を示す。
【図１２】フィルターユニットが積み重ねられた、物理的構造の例を示す。
【図１３】フィルターユニットが隣接配置された、別の物理的構造の例を示す。
【発明を実施するための形態】
【００３７】
図１は、フィルターユニットＦＥ１、ＦＥ２を有する高周波モジュールＭが実現された基本図である。モジュールＭ内で、第１フィルターユニットＦＥ１と、第２フィルターユニットＦＥ２とが並列接続されている。２つのフィルターユニットはそれぞれ、第１スイッチＳＷ１と、第１高周波フィルターＨＦ−Ｆとを有する。２つの第１スイッチは、信号入力を有し、２つのスイッチ状態を取り得る。それぞれ、２つのスイッチ状態の１つにおいて、第１スイッチの信号入力は、対応する（第１）高周波フィルターＨＦ−Ｆに接続される。
【００３８】
同一又は同様のフィルターユニットを追加することで、大きな負荷を必要とせず、具体的には基本的な回路設計に大きな変更なしに、モジュールを複数の周波数帯域に対応させることができる。キャリアアグリゲーションの際には、特に異なる高周波フィルターの組合せを第１スイッチのスイッチ位置により実現できる。必要なのはダブルスイッチのみであるので、従来の高周波モジュールの場合よりも回路が複雑化しない。マルチスイッチによる過剰な回路の複雑化が避けられる。
【００３９】
図２は異なる複数のコネクタの名称を説明するものである。高周波フィルターは、スイッチＳＷへの入力Ｉ、即ちその第１コネクタＡ１に接続される。スイッチＳＷの第３コネクタＡ３は、フィルターユニットＦＥの信号入力を実現する。スイッチＳＷの第２コネクタＡ２を介して、スイッチＳＷを終端インピーダンスに接続できる。
【００４０】
図３は、第２スイッチＳＷ２の名称を説明するものである。第２スイッチＳＷ２の第１コネクタＡ１を介して、第２スイッチＳＷ２は高周波フィルターに接続される。第２スイッチＳＷ２の第３コネクタＡ３を介して、フィルターユニットＦＥはその出力に接続可能である。第２スイッチＳＷ２の第２コネクタＡ２を介して、スイッチを終端インピーダンスに接続できる。
【００４１】
スイッチ及びフィルターの信号方向は、図２、図３に示すものと逆であってもよい。即ち、信号は第２スイッチＳＷ２からフィルターを介して第１スイッチＳＷ１に送られてもよい。
【００４２】
図４は、第３スイッチのコネクタの名称を説明するものである。第３スイッチＳＷ３の第１コネクタＡ１は、第２フィルターに接続されている。第３スイッチＳＷ３の第３コネクタＡ３を介して、フィルターユニットＦＥは第３スイッチＳＷ３に接続するための信号バスに接続可能である。第２コネクタＡ２を介して、第３スイッチＳＷ３を、終端インピーダンスを経てグランドに接続可能である。
【００４３】
したがって、フィルターユニットＦＥの３つのスイッチＳＷ１，ＳＷ２，ＳＷ３全ては、各第１コネクタをフィルターへ接続するものである。第２コネクタＡ２は、終端インピーダンスへの接続用に設けることができる。第３コネクタは、３つの設けられ得る信号バスの内の１つへの接続用に設けることができる。
【００４４】
図５は、高周波モジュールＭがフィルターユニットＦＥを有し、第１スイッチＳＷ１のスイッチ位置が制御回路ＳＴＳにより制御される実施形態を示す。
【００４５】
この場合、制御回路ＳＴＳは外部回路環境からの制御信号を受信し、それをスイッチＳＷ１に対応する作動信号に変換できる。
【００４６】
図６は、３つのスイッチ、２つの高周波フィルター、３つの終端インピーダンスＺを有するフィルターユニットＦＥの実施形態を示す。第２コネクタＡ２の３つのスイッチＳＷ１，ＳＷ２，ＳＷ３は、それぞれ終端インピーダンスＺを介してグランドに接続される。
【００４７】
図７は、制御回路ＳＴＳが２つのスイッチＳＷ１，ＳＷ２のスイッチ状態を制御する、高周波モジュールＭのフィルターユニットＦＥの実施形態を示す。
【００４８】
図８は、制御回路ＳＴＳが３つのスイッチＳＷ１，ＳＷ２，ＳＷ３全てのスイッチ状態を制御する、高周波モジュールＭのフィルターユニットＦＥの実施形態を示す。この場合、２つの高周波フィルターＨＦは、デュプレクサの２つのフィルターを構成でき、これによりデュプレクサの共通出力が第２スイッチＳＷ２を介して送られるため、必要なスイッチは３つのみである。
【００４９】
図９は、フィルターユニットＦＥを追加することで、拡張を実行可能である様子を示す。具体例として、パワーアンプＰＡに接続される信号バスＳＩＧＳが入力側に設けられている。アンテナに接続される第２信号バスＳＩＧＳも設けられている。対応する制御線をＳＴＬ介して切り替え可能な、フィルターユニットのスイッチを介して、フィルターユニットの各フィルターがそれぞれ個別に、アンプからアンテナへの高周波信号の信号経路を開くように作動可能である。マルチスイッチの複雑性を排して、必要なのはそれぞれダブルスイッチのみとなり、信号品質を向上できる。更に、拡張が必要な場合でも、各フィルターをアンプに繋ぐためのマルチスイッチを新たに構築する必要もなくなる。この場合、アンプＰＡはＭＭＭＢ−ＰＡでよい。
【００５０】
図１０は、受信信号に対して図９と同様の状況を示す。
【００５１】
図１１は、図９、図１０と同様の状況を示し、ここでは各フィルターユニットＦＥは、デュプレクサの２つのスイッチと、制御回路によりスイッチ状態の制御される３つのダブルスイッチとを有する。
【００５２】
信号バスがパワーアンプＰＡに接続される。信号バスがアンテナに接続される。更に別の信号バス（簡潔にするため不図示）が、一端がデュプレクサの各受信フィルターに接続され、多端が受信アンプに接続される。
【００５３】
図１２は、同じ構造の異なるフィルターユニットがキャリア基板ＴＳ上に積み重ねられ、三次元構造により最小の必要空間で、コンパクトな構造を形成可能である様子を示す。２つ、或いは場合によっては３つの共通信号バスが、全てのフィルターユニットＦＥを通過するよう実現できる。
【００５４】
図１３は、キャリア基板ＴＳ上でフィルターユニットＦＥを統合するために使用可能な、別の構造を示す。ここでは、異なるフィルターユニットＦＥが、キャリア基板ＴＳ上で互いに隣接して設けられ、多層キャリア基板ＴＳの頂部側又はその内部の金属化層に配置可能な２つ、或いは場合によっては３つの信号バスＳＩＧＳに、例えば貫通接続により接続できる。
【００５５】
これにより、高周波モジュールは上述又は図示のあくまで例示的な実施形態に限定されることはない。更なるフィルターユニットを有するモジュール、又は更なるフィルター、及び／又はスイッチを有するフィルターユニットも、実施形態として考えられる。
【００５６】
参照符号の説明
Ａ１：                        第１スイッチコネクタ
Ａ２：                        第２スイッチコネクタ
Ａ３：                        第３スイッチコネクタ
ＡＮＴ：                      アンテナ
ＦＥ、ＦＥ１、ＦＥ２：        フィルターユニット
ＨＦ−Ｆ：                    高周波フィルター
Ｉ：                          フィルター入力
ＬＮＡ：                      低ノイズアンプ
Ｍ：                          高周波モジュール
Ｏ：                          フィルター出力
ＰＡ：                        パワーアンプ
ＳＩＧＳ：                    信号バス
ＳＴＳ：                      制御回路
ＳＷ、ＳＷ１、ＳＷ２、ＳＷ３：スイッチ
ＴＳ：                        キャリア基板
Ｚ：                          終端インピーダンス
以下に本願発明の当初の特許請求の範囲に記載された発明を付記する。
［Ｃ１］  ２つのフィルターユニット（ＦＥ）を有する高周波モジュール（Ｍ）であって、フィルターユニット（ＦＥ）はそれぞれ、
入力（Ｉ）と、出力（Ｏ）とを有する第１高周波フィルター（ＨＦ−Ｆ）と、
２つのスイッチ状態を取り得る第１スイッチ（ＳＷ１）と、を有し、
各フィルターユニット（ＦＥ）において、前記第１スイッチ（ＳＷ１）は前記第１高周波フィルター（ＨＦ−Ｆ）の前記入力（Ｉ）又は前記出力（Ｏ）に接続され、
２つのフィルターユニットは並列に接続される、高周波モジュール。
［Ｃ２］  少なくとも１つのフィルターユニット（ＦＥ）は、
２つのスイッチ状態を取り得る第２スイッチ（ＳＷ２）を有し、
前記第１スイッチ（ＳＷ１）は前記入力（Ｉ）に接続され、
前記第２スイッチ（ＳＷ２）は前記出力（Ｏ）に接続される、Ｃ１に記載の高周波モジュール。
［Ｃ３］  少なくとも１つのフィルターユニット（ＦＥ）は、
入力（Ｉ）と、出力（Ｏ）とを有する第２高周波フィルター（ＨＦ−Ｆ）を有し、
前記第２フィルター（ＨＦ−Ｆ）は、第１フィルター（ＨＦ−Ｆ）に並列に接続され、
前記フィルターユニット（ＦＥ）はデュプレクサを実現する、Ｃ１又は２に記載の高周波モジュール。
［Ｃ４］  少なくとも１つのフィルターユニット（ＦＥ）は、
２つのスイッチ状態を取り得る第３スイッチ（ＳＷ３）を有し、
前記第３スイッチ（ＳＷ３）は、前記第２フィルター（ＨＦ−Ｆ）の入力（Ｉ）に接続される、Ｃ１〜３のいずれか一項に記載の高周波モジュール。
［Ｃ５］  少なくとも１つのフィルターユニット（ＦＥ）において、
各スイッチ（ＳＷ）は３つのコネクタ（Ａ１、Ａ２、Ａ３）を有し、
各スイッチ（ＳＷ）は前記フィルターユニット（ＦＥ）の高周波フィルター（ＨＦ−Ｆ）に、第１コネクタ（Ａ１）により接続される、Ｃ１〜４のいずれか一項に記載の高周波モジュール。
［Ｃ６］  少なくとも１つのフィルターユニット（ＦＥ）において、
各スイッチ（ＳＷ）は、終端インピーダンス（Ｚ）に、第２コネクタ（Ａ２）により接続される、Ｃ１〜５のいずれか一項に記載の高周波モジュール。
［Ｃ７］  少なくとも１つのフィルターユニット（ＦＥ）において、
各スイッチ（ＳＷ）は、信号バス（ＳＩＧＳ）に、第３コネクタ（Ａ３）により接続される、Ｃ５又は６に記載の高周波モジュール。
［Ｃ８］  少なくとも１つのフィルターユニット（ＦＥ）は、
前記スイッチ（ＳＷ）のスイッチ状態を制御するため、制御回路（ＳＴＳ）を有する、Ｃ１〜７のいずれか一項に記載の高周波モジュール。
［Ｃ９］  少なくとも１つのフィルターユニット（ＦＥ）において、
前記第１スイッチ（ＳＷ１）の前記第３コネクタ（Ａ３）は、送信アンプ（ＰＡ）に接続される、Ｃ１〜８のいずれか一項に記載の高周波モジュール。
［Ｃ１０］  少なくとも１つのフィルターユニット（ＦＥ）において、
前記第２スイッチ（ＳＷ２）の前記第３コネクタ（Ａ３）は、アンテナコネクタ（ＡＮＴ）に接続される、Ｃ２〜９のいずれか一項に記載の高周波モジュール。
［Ｃ１１］  少なくとも１つのフィルターユニット（ＦＥ）において、
前記第３スイッチ（ＳＷ３）の前記第３コネクタ（Ａ３）は、受信アンプ（ＬＮＡ）に接続される、Ｃ３〜９のいずれか一項に記載の高周波モジュール。
［Ｃ１２］  更に１つ以上のフィルターユニット（ＦＥ）を有する、Ｃ１〜１１のいずれか一項に記載の高周波モジュール。
［Ｃ１３］  全てのフィルターユニット（ＦＥ）が同一の回路構造を有し、
前記フィルターユニット（ＦＥ）の前記高周波フィルター（ＨＦ−Ｆ）はバンドパスフィルタであり、
前記フィルターユニット（ＦＥ）の前記バンドパスフィルタは、それぞれ帯域幅及び／又は中心周波数が異なる、Ｃ１〜１２のいずれか一項に記載の高周波モジュール。
［Ｃ１４］  Ｃ１〜１３のいずれか一項に記載の高周波モジュールの、携帯無線装置又は携帯無線ユニットでの使用。
【図１】
0006679575.tif 000002
【図２】
0006679575.tif 000003
【図３】
0006679575.tif 000004
【図４】
0006679575.tif 000005
【図５】
0006679575.tif 000006
【図６】
0006679575.tif 000007
【図７】
0006679575.tif 000008
【図８】
0006679575.tif 000009
【図９】
0006679575.tif 000010
【図１０】
0006679575.tif 000011
【図１１】
0006679575.tif 000012
【図１２】
0006679575.tif 000013
【図１３】
0006679575.tif 000014